(57)【要約】【課題】被験者の異なる被測定部位の皮下脂肪厚を正確に測定できる皮下脂肪厚計を提供する。【解決手段】光学式の皮下脂肪厚検出手段として発光部２及び受光部３を設けた装置本体４と、装置本体４に対して着脱自在に取付可能な複数種類のアタッチメント５ａ〜５ｃを備える。各アタッチメント５ａ〜５ｃは被験者の被測定部位７に接触させるための接触面部１１を有する。各アタッチメント５ａ〜５ｃの接触面部１１の形状がアタッチメント５ａ〜５ｃ毎に異なって任意の被測定部位７に対応している。各アタッチメント５ａ〜５ｃの接触面部１１において発光部２及び受光部３に対応する位置に透光部２１を形成する。【選択図】図１
2007330551.tif 000002
【特許請求の範囲】
【請求項１】
光学式の皮下脂肪厚検出手段として発光部及び受光部を設けた装置本体と、装置本体に対して着脱自在に取付可能な複数種類のアタッチメントを備え、各アタッチメントは被験者の被測定部位に接触させるための接触面部を有すると共に、接触面部の形状がアタッチメント毎に異なって任意の被測定部位に対応するものであり、前記各アタッチメントの接触面部において発光部及び受光部に対応する位置に透光部を形成して成ることを特徴とする皮下脂肪厚計。
【請求項２】
前記皮下脂肪厚検出手段による測定モードとして前記アタッチメント毎に異なる測定モードを有し、装置本体にアタッチメントを取付けた際に当該アタッチメントに対応する測定モードに自動的に切り替えるモード切替手段を設けて成ることを特徴とする請求項１に記載の皮下脂肪厚計。
【発明の詳細な説明】
【技術分野】
【０００１】
本発明は光学式の皮下脂肪厚検出手段を備えた皮下脂肪厚計に関する。
【背景技術】
【０００２】
従来から例えば特許文献１等に示すような光学式の皮下脂肪厚検出手段を備えた皮下脂肪厚計が知られている。この種の皮下脂肪厚計は、皮下脂肪厚計の外面の一部を被験者の被測定部位に接触させるための接触面部とし、該接触面部に光学式の皮下脂肪厚検出手段として発光部及び受光部を設けている。
【０００３】
ところで上記光学式の皮下脂肪厚計では外部からの光が発光部及び受光部による皮下脂肪厚の測定に悪影響を及ぼすため、接触面部の形状を測定対象となる任意の被測定部位に対応する形状とし、該接触面部を任意の被測定部位にぴったりと密着させた状態で、皮下脂肪厚を測定することが重要である。
【０００４】
しかし上記皮下脂肪厚計では腹部や、大腿部、上腕部などのうち一つの被測定部位にしか対応することができず、他の被測定部位を測定する場合には接触面部を該被測定部位に密着させることができず、この結果、他の被測定部位の皮下脂肪厚を正確に測定することが難しい。
【特許文献１】特開２００３−１５９２２７号公報
【発明の開示】
【発明が解決しようとする課題】
【０００５】
本発明は上記従来の問題点に鑑みて発明したものであって、被験者の異なる被測定部位の皮下脂肪厚を正確に測定できる皮下脂肪厚計を提供することを課題とするものである。
【課題を解決するための手段】
【０００６】
上記課題を解決するために本発明に係る皮下脂肪厚計は、光学式の皮下脂肪厚検出手段として発光部２及び受光部３を設けた装置本体４と、装置本体４に対して着脱自在に取付可能な複数種類のアタッチメント５ａ〜５ｃを備え、各アタッチメント５ａ〜５ｃは被験者の被測定部位７に接触させるための接触面部１１を有すると共に、接触面部１１の形状がアタッチメント５ａ〜５ｃ毎に異なって任意の被測定部位７に対応するものであり、前記各アタッチメント５ａ〜５ｃの接触面部１１において発光部２及び受光部３に対応する位置に透光部２１を形成して成ることを特徴とする。
【０００７】
このように皮下脂肪厚計を、発光部２及び受光部３を設けた装置本体４と、装置本体４に対して着脱自在に取付可能な複数種類のアタッチメント５ａ〜５ｃとで構成することで、測定対象となる被験者の被測定部位７が異なる場合には、装置本体４に取付けるアタッチメント５ａ〜５ｃを被測定部位７に対応するアタッチメント５ａ〜５ｃに付け替えて、被験者の被測定部位７に対応でき、この場合、各アタッチメント５ａ〜５ｃの接触面部１１を被測定部位７にぴったりと密着させた状態で発光部２及び受光部３による皮下脂肪厚の測定を行うことができて、皮下脂肪厚の測定精度が増す。
【０００８】
また、請求項２は請求項１において、前記皮下脂肪厚検出手段による測定モードとして前記アタッチメント５ａ〜５ｃ毎に異なる測定モードを有し、装置本体４にアタッチメント５ａ〜５ｃを取付けた際に当該アタッチメント５ａ〜５ｃに対応する測定モードに自動的に切り替えるモード切替手段を設けて成ることを特徴とする。モード切替手段により、各アタッチメント５ａ〜５ｃに対応した、即ち異なる被測定部位７に対応した測定モードで皮下脂肪厚を測定でき、測定精度が増す。
【発明の効果】
【０００９】
請求項１に係る発明では、測定対象となる被験者の被測定部位が異なる場合にも、発光部及び受光部による皮下脂肪厚の測定を正確に行うことができる。
【００１０】
また請求項２に係る発明では、請求項１に係る発明の効果に加えて、異なる被測定部位に対応した測定モードで皮下脂肪厚を測定できて、より一層正確に皮下脂肪厚を測定できる。
【発明を実施するための最良の形態】
【００１１】
以下、本発明を添付図面に示す実施形態に基づいて説明する。本発明の皮下脂肪厚計１は、図１に示すように光学式の皮下脂肪厚検出手段として発光部２及び受光部３を設けた装置本体４と、装置本体４に対して着脱自在に取付可能な複数種類のアタッチメント５ａ〜５ｃとで構成してある。
【００１２】
図２に示すように装置本体４は全体として矩形、詳しくは長方形の箱状に形成されている。ここで装置本体４の厚み方向の両面のうち、後述の表示部１０を設けた片側の面を表面とし、反対側の面を裏面とする。
【００１３】
図２（ｂ）に示すように装置本体４の裏面の中央部には被験者の被測定部位７の皮下脂肪厚を計測する皮脂厚計測部８を設けている。皮脂厚計測部８は、装置本体４の裏面中央から突出して装置本体４の短辺と平行に伸びる直線状の突部９と、突部９に設けた皮下脂肪厚検出手段としての発光部２及び受光部３で構成してあり、発光部２及び受光部３は突部９の長手方向に複数設けた各孔１２に配置してあって突部９の平坦な突端面から外部に露出している。発光部２は被験者の被測定部位７に赤外線又は可視光線からなる光を照射する。またこの発光部２の近傍に位置する受光部３は発光部２から照射されて被測定部位７に当たって反射した光を受光するものである。より具体的には、装置本体４の裏面に設けた突部９に１つの発光部２と複数（図示例では２つ）の受光部３を設け、発光部２と各受光部３の距離を皮下脂肪厚が０〜６０ｍｍ程度の測定が可能となるように各受光部３を発光部２から約１５〜４５ｍｍ離れた位置に配置してあり、また発光部２として波長８５０ｎｍ付近の近赤外線を発するＬＥＤを用いている。ここで受光部３を複数設けたのは皮膚の色素の差を補正する等して精度の高い測定をするためである。
【００１４】
また図２（ａ）に示すように装置本体４の表面の中央部には計測結果等を表示するための表示部１０と、機器の操作等を行うための操作部１４を設けてあり、さらに装置本体４には図示しない制御部を内装している。
【００１５】
一方、上記装置本体４に着脱自在に取付けられるアタッチメントとしては、図３（ａ）に示す腹部用アタッチメント５ａ、図３（ｂ）に示す大腿部用アタッチメント５ｂ、図３（ｃ）に示す上腕部用アタッチメント５ｃの３種類があり、各アタッチメント５ａ〜５ｃは後述の接触面部１５の形状のみが異なる。
【００１６】
まず各アタッチメント５ａ〜５ｃの共通部分の構成につき説明する。図１に示すように各アタッチメント５ａ〜５ｃは一端が開口した平面視長方形の有底角筒状に形成してあり、その内側には装置本体４の略全体を被嵌した状態で収納できる装置本体収納部１６を形成している。アタッチメント５ａ〜５ｃの前記一端開口を挿入口２２として、該挿入口２２から装置本体４を装置本体収納部１６に挿入することで装置本体４にアタッチメント５ａ〜５ｃを取付けることができ、またアタッチメント５ａ〜５ｃの挿入口２２から装置本体収納部１６に収納した装置本体４を引き出すことで装置本体４からアタッチメント５ａ〜５ｃを取り外すことができるようになっており、これによりアタッチメント５ａ〜５ｃは装置本体４に対して着脱自在となっている。ここで各アタッチメント５ａ〜５ｃにおいて装置本体収納部１６に収納した装置本体４の表面に対向する一側面部を表面部１８とし、裏面に対向する他側面部を裏面部１９とする。
【００１７】
各アタッチメント５ａ〜５ｃの表面部１８において装置本体収納部１６に収納した装置本体４の表示部１０及び操作部１４に対向する部分には表面部１８の厚み方向に貫通する開口部２０を形成してあり、装置本体収納部１６に装置本体４を収納した場合に表示部１０及び操作部１４が開口部２０を介して外部に露出して表示部１０を視認したり操作部１４を操作できるようになっている。
【００１８】
また各アタッチメント５ａ〜５ｃの裏面部１９を被験者の被測定部位７に接触させるための接触面部１５としており、この各アタッチメント５ａ〜５ｃの接触面部１５において、装置本体４の発光部２及び受光部３に対応する位置、即ち装置本体収納部１６に収納した状態にある装置本体４の発光部２及び受光部３に対向する位置には透光部２１を形成している。図示例では透光部２１として、接触面部１５において装置本体４の突部９に対向する位置である中央部にアタッチメント５ａ〜５ｃの軸方向（即ち装置本体４の挿入方向）に伸びるスリット孔２１ａを形成しており、該スリット孔２１ａは孔幅が突部９の幅と略同じであり、また挿入口２２側の一端が開口している。なお透光部２１は孔２１ａで構成したが、透光性を有するガラス等で構成しても良い。
【００１９】
そして各アタッチメント５ａ〜５ｃは接触面部１５の形状がアタッチメント５ａ〜５ｃ毎に異なって任意の被測定部位７に対応するものとなっている。
【００２０】
具体的には、図３に示すように、各アタッチメント５ａ〜５ｃの接触面部１５の外面には内面側に凹となる円弧状の曲面で構成した接面１５ａをアタッチメント５ａ〜５ｃの軸方向全長に亘って形成した点は共通しているが、各接触面部１５の接面１５ａは曲率半径が異なり、曲率半径が大きいもの程幅が大きくなっている。即ち接面１５ａの曲率半径は、図３（ａ）に示す腹部用アタッチメント５ａ、図３（ｂ）に示す大腿部用アタッチメント５ｂ、図３（ｃ）に示す上腕部用アタッチメント５ｃの順に大きくなっている。
【００２１】
上記皮下脂肪厚計１で被験者の皮下脂肪厚を測定する場合は、例えばまず装置本体４に複数あるアタッチメント５ａ〜５ｃのうち任意の被測定部位７に対応したアタッチメント５ａ〜５ｃを一つ選択する。即ち、腹部の皮下脂肪厚を測定する場合は腹部用アタッチメント５ａを選択し、大腿部の皮下脂肪厚を測定する場合は大腿部用アタッチメント５ｂを選択し、上腕部の皮下脂肪厚を測定する場合は上腕部用アタッチメント５ｃを選択する。そして選択したアタッチメント５ａ〜５ｃを前述したように挿入口２２から装置本体４を装置本体収納部１６に挿入することで装置本体４に取付ける。この時、装置本体４の突部９はスリット孔２１ａの挿入口２２側の一端開口からスリット孔２１ａに挿入されて、突部９に設けた発光部２及び受光部３が接触面部１５の外面側に露出することとなる。
【００２２】
そして上記装置本体４に任意のアタッチメント５ａ〜５ｃを取付けてなる皮下脂肪厚計１で皮下脂肪厚を測定する場合は、接触面部１５の接面１５ａを被験者の任意の被測定部位７に押し付け、このように被測定部位７に接触面部１５を接触させた状態で、発光部２から被測定部位７に向かって光を照射すると共に受光部３で受光情報を検出し、この測定データから演算装置を備えた制御部が被測定部位７の皮下脂肪厚を演算式を用いて算出し、該皮下脂肪厚からなる測定結果を表示部１０に表示する。
【００２３】
図４の２４、２５、２６は夫々被測定部位７の表皮、皮下脂肪層、筋肉層を示し、同図に示すように発光部２から照射した光は皮下脂肪で散乱し、その内側の筋肉で吸収される。従って発光部２から出た光は皮下脂肪厚が薄い場合は皮膚の表面方向への拡散は少なく、皮膚の表面に戻る光は少なくまた広がりも少ない。このため発光部２に届く光量は少なくなる。逆に皮下脂肪厚が厚い場合は発光部２から出た光の散乱が多くなり、皮膚の表面に戻る光も多くなりまた広がりも大きい。このため発光部２に届く光量は多くなる。つまり皮脂厚計測手段では発光部２から照射した光の反射を利用して皮下脂肪厚を測定できるようになっている。
【００２４】
ここで装置本体４にアタッチメント５ａ〜５ｃを取付けた状態で、装置本体４に設けた突部９を接触面部１５の接面１５ａよりもわずかに突出させることが好ましい。具体的には５ｍｍ程度突出する。このように突部９を接面１５ａよりも突出することで、突部９を接触面部１５と共に被験者の被測定部位７に押し当てた際には、小さな力で突部９を被測定部位７に食い込ませることができて、発光部２からの光が外部に漏れたり、受光部３に外部からの光が入ったりすることを防止でき、皮下脂肪厚の測定の精度が良くなる。
【００２５】
また図示は省略するが、装置本体４に生体インピーダンスを測定するための測定用電極を設けても良いものとする。
【００２６】
ところで上記のように皮下脂肪厚計１で測定する被験者の被測定部位７が異なる場合、例えば腹部においては外側から皮膚、皮下脂肪、筋肉、内臓脂肪、内臓があり、大腿部においては外側から皮膚、皮下脂肪、筋肉、骨があるといったように内部構成が異なるため、測定精度が低下する恐れがある。
【００２７】
そこで皮下脂肪厚計１を上記皮下脂肪厚検出手段による測定モードとして前記アタッチメント毎に異なる測定モードを有するものとし、装置本体４にアタッチメント５ａ〜５ｃを取付けた際に当該アタッチメント５ａ〜５ｃに対応する測定モードに自動的に切り替えるモード切替手段を設けることが好ましく、以下この実施形態について説明する。なお以下の説明では上記実施形態と同一の構成については同一の番号を付与し、重複する説明は省略する。
【００２８】
本実施形態の皮下脂肪厚計１は、各アタッチメント５ａ〜５ｃに対応する測定モードとして、腹部用測定モード、大腿部用測定モード、上腕部用測定モードを備えており、各測定モードでは前述したように制御部により受光部で受光した受光情報に基づいて皮下脂肪厚を測定するにあたって演算式を用いるのだが、この皮下脂肪厚を算出する際に用いる演算式が各アタッチメント５ａ〜５ｃに対応した、即ち各被測定部位７に対応したものとなっており、つまり各測定モードでは皮下脂肪厚を演算する際に用いる演算式が異なる。なお各測定モードはこれに限定されるものではなく、例えば発光部２から照射する光の波長や光量を違えたものであっても良い。
【００２９】
またモード切替手段は、図５及び図６に示す装置本体４に設けた複数のスイッチ３０ａ、３０ｂと、各アタッチメント５ａ〜５ｃに設けたスイッチ操作部３２とで各アタッチメント５ａ〜５ｃに対応する測定モードを切り替えるものであり、これらスイッチ３０ａ、３０ｂや各アタッチメント５ａ〜５ｃに設けたスイッチ操作部３２で構成してあり、以下に詳述する。
【００３０】
図６に示すように装置本体４の外郭を構成するケース３１内には制御部を構成する基板３３を設けている。基板３３には２つのスイッチ３０ａ、３０ｂを設けてあり、これら２つのスイッチ３０ａ、３０ｂのＯＮ・ＯＦＦ状態を切り替えることで各アタッチメント５ａ〜５ｃに対応する測定モードに切替わるようになっており、また両スイッチ３０ａ、３０ｂがＯＦＦの場合はいずれのアタッチメント３５ａ〜５ｃも装置本体４に取付けていないとして制御部は皮下脂肪厚の測定を不可とする。スイッチ３０ａ、３０ｂに対向する位置には夫々釦３５ａ、３５ｂを配置してあり、各釦３５ａ、３５ｂは基板３３に設けたばね３４により支持されている。また装置本体４にアタッチメント５ａ〜５ｃを取付けた状態において、ケース３１のアタッチメント５ａ〜５ｃの裏面部１９に対向する部分には貫通孔３６ａ、３６ｂを釦３５ａ、３５ｂと同数形成してあり、各釦３５ａ、３５ｂは外力が加わってない状態ではその先端部が対応する貫通孔３６ａ、３６ｂからケース３１の外部に突出し、この状態で各釦３５ａ、３５ｂはスイッチ３０ａ、３０ｂに接触せず対応するスイッチ３０ａ、３０ｂはＯＦＦとなる。またばね３４に抗して各釦３５ａ、３５ｂの先端部がケース３１内側に押し込まれることで、各釦３５ａ、３５ｂはスイッチ３０ａ、３０ｂに接触して対応するスイッチ３０ａ、３０ｂをＯＮとする。
【００３１】
また装置本体４にアタッチメント５ａ〜５ｃを取付けた状態において、各アタッチメント５ａ〜５ｃの裏面部１９の各釦３５ａ、３５ｂに対向する箇所には、対応する釦３５ａ、３５ｂの先端部が収納される収納孔３７又は装置本体４側に突出する釦押圧部３８のいずれか一方を形成しており、これら収納孔３７又は釦押圧部３８でスイッチ操作部３２を構成している。具体的には、腹部用アタッチメント５ａは図５及び図６に示すように釦３５ａに対応する位置に収納孔３７を設けると共に釦３５ｂに対応する位置に釦押圧部３８を設ける。また図示は省略するが、大腿部用アタッチメント５ｂは釦３５ａに対応する位置に釦押圧部３８を設けると共に釦３５ｂに対応する位置に収納孔３７を設け、また上腕部用アタッチメント５ｃは両釦３５ａ、３５ｂに対応する位置に釦押圧部３８を設ける。
【００３２】
上記モード切替手段により、装置本体４に各アタッチメント５ａ〜５ｃを取付けた際には、該アタッチメント５ａ〜５ｃに設けた釦押圧部３８により対応する釦３５ａ、３５がケース３１の内側に押し込まれて対応するスイッチ３０ａ、３０ｂがＯＮとなり、また収納孔３７がある場合はこの収納孔３７に対応する釦３５ａ、３５ｂの先端部が収納されて対応するスイッチ３０ａ、３０ｂがＯＦＦとなり、これらスイッチ３０ａ、３０ｂのＯＮ・ＯＦＦの組み合わせで、制御部は以下の表１に示すように各アタッチメント５ａ〜５ｃに対応した測定モードに切り替える。
【００３３】
【表１】
2007330551.tif 000003
【００３４】
このように本実施形態では装置本体４に取付けるアタッチメント５ａ〜５ｃに対応する測定モードで皮下脂肪厚を測定できるので、測定の精度を一層向上できる。
【００３５】
なお本実施形態でも装置本体４に設けた突部９を接触面部１５の接面１５ａよりもわずかに突出させても良いし、装置本体４に生体インピーダンスを測定するための測定用電極を設けても良いものとする。
【図面の簡単な説明】
【００３６】
【図１】本発明の実施の形態の一例を示す皮下脂肪厚計の裏面側から見た分解斜視図である。
【図２】同上の装置本体を示し、（ａ）は表面側から見た斜視図であり、（ｂ）は裏面側から見た斜視図である。
【図３】同上の各種アタッチメントを示し、（ａ）は腹部用アタッチメントの断面図、（ｂ）は大腿部用アタッチメントの断面図、（ｃ）は上腕部用アタッチメントの断面図である。
【図４】光学式の皮下脂肪厚検出手段の説明図である。
【図５】他例の皮下脂肪厚計の裏面側から見た分解斜視図である。
【図６】同上の皮下脂肪厚計の断面図である。
【符号の説明】
【００３７】
１  皮下脂肪厚計
２  発光部
３  受光部
４  装置本体
５ａ〜５ｃ  アタッチメント
１５  接触面部
２１  透光部
【図１】
2007330551.tif 000004
【図２】
2007330551.tif 000005
【図３】
2007330551.tif 000006
【図４】
2007330551.tif 000007
【図５】
2007330551.tif 000008
【図６】
2007330551.tif 000009